(57)【要約】【課題】視覚障害者、健常者に対し確実に誘導や危険の告知を行うことができると共に、設置された状態で有効に活用できる歩行者誘導ブロックを提供する。【解決手段】ブロック１０上面に誘導用凸部４が設けられて視覚障害者を誘導できると共に、上面から見て黒色に近い色調の太陽電池２とＬ値５０以上の色調となされた太陽電池以外の部分５とのコントラストにより誘目性を高め、健常者に対しても確実に誘導や危険の告知を行うことができる。また太陽電池２が設けられていることで、誘導や危険の告知のみならず、発電を行うことができ、設置された状態で有効に活用されるものとなり得る。【参照図】        図２【特許請求の範囲】
【請求項１】
ブロック上面に誘導用凸部が設けられ、該ブロック上面の少なくとも一部が透明板となされ、該透明板の下面に太陽電池が配置されると共に、前記ブロック上面において前記太陽電池以外の部分がＬ値５０以上の色調となされていることを特徴とする歩行者誘導ブロック。
【請求項２】
前記誘導用凸部は、警告点字であることを特徴とする請求項１に記載の歩行者誘導ブロック。
【請求項３】
前記色調は、黄色であることを特徴とする請求項１又は２に記載の歩行者誘導ブロック。
【請求項４】
更に、透明板の下方に注意喚起や誘導標示等を行う発光部が設けられていることを特徴とする請求項１〜３のいずれかに記載の歩行者誘導ブロック。
【請求項５】
更に予め定められた音声情報に係わる信号を、受信機を携帯する歩行者に対し電波により発信する電波出力部が内蔵されていることを特徴とする請求項１〜４のいずれかに記載の歩行者誘導ブロック。
【請求項６】
前記電波出力部は、電波の発生に係わる電力に前記太陽電池より生起された電力が用いられることを特徴とする請求項４に記載の歩行者誘導ブロック。
【請求項７】
上面に視覚誘導手段が設けられ、予め定められた音声情報に係わる信号を、受信機を携帯する歩行者に対し電波により発生させる電波出力部が内蔵されていることを特徴とする歩行者誘導ブロック。
【請求項８】
前記視覚誘導手段は、サインであることを特徴とする請求項６に記載の歩行者誘導ブロック。
【請求項９】
前記電波出力部は、利用者の携帯するＡＭラジオ又はＦＭラジオに対しＡＭ波又はＦＭ波により音声情報に係わる信号を発信することを特徴とする請求項５〜８のいずれかに記載の歩行者誘導ブロック。
【請求項１０】
更に、上面の大きさが、汎用の点字誘導ブロックと略同一となされていることを特徴とする請求項１〜９のいずれかに記載の歩行者誘導ブロック。
【請求項１１】
請求項１〜１０に記載の歩行者誘導ブロックを路面に設置し、該歩行者誘導ブロックを用いて歩行者を誘導することを特徴とする歩行者誘導システム。
【請求項１２】
前記歩行者誘導ブロックは、他のサインとの組み合わせにより、視覚及び／又は聴覚に働きかけて歩行者を誘導する誘導拠点となされていることを特徴とする請求項１１に記載の歩行者誘導システム。
【請求項１３】
請求項５〜１０に記載の歩行者誘導ブロックを路面に設置し、該歩行者誘導ブロックから発信される電波により受信機を携帯する歩行者を誘導することを特徴とする歩行者誘導システム。
【請求項１４】
前記電波出力部は、複数方向への誘導に係わる複数種類の音声情報の信号を発するものとなされ、また歩行者の携帯する受信機には電子コンパスが内蔵され、該電子コンパスにより検出された方位に基づき前記複数種類の音声情報の信号の内一種類を選択し音声に変換して前記歩行者を誘導するものであることを特徴とする請求項１２又は１３に記載の歩行者誘導システム。
【発明の詳細な説明】
【技術分野】
【０００１】
本発明は、路面に設置され、視覚障害者、健常者を問わず誘導及び警告表示を行うことができるバリアフリー化された歩行者誘導ブロックに関するものである。
【背景技術】
【０００２】
視覚障害者を誘導する点字誘導ブロックとしては、ブロックの上面に点状や線状の誘導用凸部を設けることで、視覚障害者が踏みつけたときに足裏でその突起を感知しつつ進むことができることで、視覚障害者を誘導し、危険を告知できるものが数多く設置されてきている。
【０００３】
また、発光を伴うことで、健常者に対してもより強力に点字誘導ブロックの存在を喚起できる点字誘導ブロックも開示されてきており、特許文献１には誘導用凸部を表面に設けた透明板と基板との間に面発光体を介在せしめて発光させる誘導用ブロックが、また特許文献２には電光矢印表示部をブロック表面に設け、異常発生の告知と誘導方向を具体的に表示できる可変電光矢印表示型避難誘導ブロックが開示されている。
【０００４】
【特許文献１】実願平１−１３３５６１号のマイクロフィルム（実開平３−７２９２０号）
【特許文献２】実願平５−７６４１４号のマイクロフィルム（実開平７−３８３４６号）
【発明の開示】
【発明が解決しようとする課題】
【０００５】
しかしながら、特許文献１及び特許文献２に記載の如き点字誘導ブロックは健常者に対してより強力に点字誘導ブロックの存在を喚起することはできるものの、道路の歩行者を誘導したり、危険を告知する機能を果たすのみで、他に特に有用となる機能を有することがなく設置された状態で有効に活用されるものではなかった。
【０００６】
本発明は上記の如き課題に鑑みてなされたものであり、視覚障害者、健常者に対し確実に誘導や危険の告知を行うことができると共に、設置された状態で有効に活用できる歩行者誘導ブロックを提供せんとするものである。
【課題を解決するための手段】
【０００７】
上記目的を解決するため、本発明は以下のような構成としている。すなわち、本発明に係わる歩行者誘導ブロックは、ブロック上面に誘導用凸部が設けられ、該ブロック上面の少なくとも一部が透明板となされ、該透明板の下面に太陽電池が配置されると共に、前記ブロック上面において前記太陽電池以外の部分がＬ値５０以上の色調となされていることを特徴とするものである。
【０００８】
また前記誘導用凸部は、警告点字であることを特徴とするものである。
【０００９】
また前記色調は、黄色であることを特徴とするものである。
【００１０】
また更に、透明板の下方に注意喚起や誘導標示等を行う発光部が設けられていることを特徴とするものである。
【００１１】
また、更に予め定められた音声情報に係わる信号を、受信機を携帯する歩行者に対し電波により発信する電波出力部が内蔵されていることを特徴とするものである。
【００１２】
また前記電波出力部は、電波の発生に係わる電力に前記太陽電池より生起された電力が用いられることを特徴とするものである。
【００１３】
また本発明に係わる歩行者誘導ブロックは、上面に視覚誘導手段が設けられ、予め定められた音声情報に係わる信号を、受信機を携帯する歩行者に対し電波により発生させる電波出力部が内蔵されていることを特徴とするものである。
【００１４】
また前記視覚誘導手段は、サインであることを特徴とするものである。
【００１５】
また前記電波出力部は、利用者の携帯するはＡＭラジオ又はＦＭラジオに対しＡＭ波又はＦＭ波により音声情報に係わる信号を発信することを特徴とするものである。
【００１６】
更に、上面の大きさが、汎用の点字誘導ブロックと略同一となされていることを特徴とするものである。
【００１７】
また本発明に係わる歩行者誘導システムは、本発明請求項１〜９に記載の歩行者誘導ブロックを路面に設置し、該歩行者誘導ブロックを用いて歩行者を誘導することを特徴とするものである。
【００１８】
また前記歩行者誘導ブロックは、他のサインとの組み合わせにより、視覚及び／又は聴覚に働きかけて歩行者を誘導する誘導拠点となされていることを特徴とするものである。
【００１９】
また本発明に係わる歩行者誘導システムは、請求項３〜９に記載の歩行者誘導ブロックを路面に設置し、該歩行者誘導ブロックから発信される電波により受信機を携帯する歩行者を誘導することを特徴とするものである。
【００２０】
また前記電波出力部は、前記電波出力部は、複数方向への誘導に係わる複数種類の音声情報の信号を発するものとなされ、また歩行者の携帯する受信機には電子コンパスが内蔵され、該電子コンパスにより検出された方位に基づき前記複数種類の音声情報の信号の内一種類を選択し音声に変換して前記歩行者を誘導するものであることを特徴とするものである。
【発明の効果】
【００２１】
請求項１に記載の本発明に係わる歩行者誘導ブロックによれば、ブロック上面に誘導用凸部が設けられて視覚障害者を誘導できると共に、上面から見て黒色に近い色調の太陽電池とＬ値５０以上の色調となされた太陽電池以外の部分とのコントラストにより誘目性を高め、健常者に対しても確実に誘導や危険の告知を行うことができる。また太陽電池が設けられていることで、誘導や危険の告知のみならず、発電を行うことができ、設置された状態で有効に活用されるものとなり得る。
【００２２】
また請求項２に係わる発明によれば、警告点字は危険の警告を行うものであり、一般に色調のコントラストがつけられているのは危険を示す場合であることから、視覚障害者、健常者に対し共に危険を告知するものとなり好ましい。
【００２３】
また請求項３に係わる発明によれば、黒色に近い色調と、黄色とのコントラストは一般に警戒色として用いられるものであり、更に歩行者の誘目性を高めることができ好ましい。
【００２４】
また請求項４に係わる発明によれば、発光により歩行者誘導ブロックの存在や、周囲に危険が存在する可能性を喚起でき、また発光部を夜間や停電時における避難路への誘導等に活用することもでき好ましい。
【００２５】
また請求項５に係わる発明によれば、歩行者誘導ブロックに電波出力部が内蔵されていることで、地平面より上方に設けられている場合と較べ、電波出力部が目立たず都市部に設置されても景観を損なうことがなく、また車輌、自転車等の衝突や悪戯等による電波出力部の故障を防止でき好ましい。
【００２６】
また請求項６に係わる発明によれば、太陽電池により生起された電力を歩行者誘導ブロック内で有効に活用でき好ましい。
【００２７】
また請求項７に記載の本発明に係わる歩行者誘導ブロックによれば、受信機を携帯する歩行者に対し音声により誘導や危険の告知を行うことができる。また上面に視覚による誘導を行うことができる視覚誘導手段が設けられていることで、設置された状態で有効に活用されるものとなり、更には視覚、聴覚両方による誘導も行うことで歩行者誘導ブロックはバリアフリー化されたものとなる。
【００２８】
また請求項８に係わる発明によれば、サインにより誘導や危険の告知に関する内容を詳細に表示したものとなり好ましい。
【００２９】
また請求項９に係わる発明によれば、ＡＭラジオ又はＦＭラジオは専用の受信機等と異なり、世間一般に広く用いられているもので汎用性が高く、歩行者が音声を受信するのが容易なものとなり好ましい。
【００３０】
また請求項１０に係わる発明によれば、上面の大きさが汎用の点字誘導ブロックと略同一となされていることで、他の汎用の点字誘導ブロックと共に連続して設置されても違和感がなく、また既設の点字誘導ブロックを取り外して本発明に係わる歩行者誘導ブロックと交換するのも容易となり好ましい。
【００３１】
また請求項１１に記載の本発明に係わる歩行者誘導システムによれば、歩行者に対してバリアフリー化された誘導や危険の告知を提供することができる。
【００３２】
また請求項１２に係わる発明によれば、他の立設型のサイン等と組み合わせ、誘導における拠点として歩行者の誘導を確実に行うようにでき、また路面に設置されるので設置場所の自由度が高く好ましい。
【００３３】
また請求項１３に記載の本発明に係わる歩行者誘導システムによれば、歩行者に対してバリアフリー化され、且つより具体的に誘導や危険の告知を提供することができる。
【００３４】
また請求項１４に係わる発明によれば、当該地点における誘導や危険の告知のみならず、歩行者の進行する方向に応じて目的地方向への音声による案内を提供でき、歩行者の誘導をより確実に行うことができ好ましい。
【発明を実施するための最良の形態】
【００３５】
本発明に係わる最良の実施の形態について、図面に基づき以下に具体的に説明する。
図１は、本発明に係わる歩行者誘導ブロックの、実施の一形態を示す斜視図である。歩行者誘導ブロック１０Ａは、アルミニウム鋳物製の筐体３上に、パッキンＰを介してポリカーボネート製の平板状の透明板１が設けられることでその上面の少なくとも一部が透明板となされている。歩行者誘導ブロック１０Ａの上面の大きさは、汎用の点字誘導ブロックと同じく３００ｍｍ×３００ｍｍとなされ、更に透明板１の上面には、ポリウレタン樹脂製の警告点字である円形の誘導用凸部４が配置されて、設置時の外形が汎用の点字誘導ブロックと同様となるようになされている。
【００３６】
図２は、歩行者誘導ブロック１０Ａの平面図である。透明板１中央付近の下方には太陽電池２が配置され、太陽電池２が配置された以外の透明板１の下方の部分５は黄色に着色されている。太陽電池２及び黄色に着色された部分５が、透明板１を透かして上方から見えるようになされていることで、黒色に近い太陽電池セルに由来する太陽電池２の色調と、それ以外の部分５の黄色の色調とがコントラストをなすようになされている。誘導用凸部４は上述の如くポリウレタン樹脂製で、黄色の色調となされている。
【００３７】
図３は、図２のＡ−Ａ線における断面図である。パッキンＰ及び合成樹脂製の太陽電池受け板５１が黄色に着色されていることで、太陽電池２以外の部分５は黄色となされる。また筐体３には蓄電池Ｂが内蔵され、太陽電池２により発電された電力が蓄電可能となされている。更に筐体３には半径５ｍ程度に予め定められた音声情報に係わる信号をＦＭ波により発信する電波出力部６が内蔵されている。
【００３８】
図４は、歩行者誘導ブロック１０Ａの使用状況を示す説明図である。交差点や横断歩道の手前に、上面に警告点字が設けられた警告点字ブロックＫが埋設され、警告点字ブロックＫと共に、歩行者誘導ブロック１０Ａが埋設されて設置されている。歩行者Ｈ、とりわけ視覚障害者に対し好適に適用されるものであるが、上面に誘導点字が設けられた誘導点字ブロックＹにより誘導されてきたＦＭラジオＲを保有する歩行者Ｈは、歩行者誘導ブロック１０Ａの手前約５ｍに到達した時点で、ＦＭラジオＲが歩行者誘導ブロック１０Ａの電波出力部６から発信されたＦＭ波Ｗを受信して音声を発することで、歩行者Ｈへの誘導や危険の告知が行われる。
【００３９】
透明板１は、上面に歩行者や自転車、場合によっては車輌が乗り上げることもあり、衝撃に対して割れの生じにくいポリカーボネート樹脂を用いて形成するのが好ましいが、特に限定されるものではなく、ガラス、強化ガラスや、ポリカーボネート、ポリエチレンテレフタレート、ポリメタクリレート、アクリル樹脂、ポリ塩化ビニル、ＡＢＳ等の透明な合成樹脂を用いてよく、それらを単独で用いるか、又は複数を用いて混合物、積層物を形成して適用してもよい。また歩行者誘導用ブロック１０Ａ上面全体を透明板としてもよいが、太陽電池２の配置された部分のみを透明板とし、他の部分は不透明なものとしてもよい。
【００４０】
また太陽電池２は、太陽電池セルの色調がＬ値５０以上の色調のものと高いコントラストが生じる黒色に近い暗色系の色調のものであれば特に限定されるものではなく、単結晶、多結晶の結晶系、非結晶系のシリコン系のものや、ＧａＡｓ、ＩｎＰ等の化合物系のものを適宜用いてよい。
【００４１】
また筐体３は、実施形態の如き形状への成形が容易で、車輌等の踏み付けに対する強度を高くできるアルミニウム鋳物が好ましいが、特に限定されるものではなく、鉄鋼、アルミニウム、亜鉛の金属鋳物やダイカスト、鉄鋼、アルミニウム、ステンレス等の金属を折り曲げ加工したものなどを設置する状況に応じて適宜用いることができる。
【００４２】
また誘導用凸部４は、摩耗に対する耐久性が高く、靴底等の滑りを防止できるポリウレタン樹脂を用いて形成するのが好ましいが、特に限定されるものではなく、ゴム、エラストマー等、上記の特性を高く有する合成樹脂を好適に用いることができる。また歩行者誘導ブロック１０Ａの上面に別部材として取り付けてもよいが、透明板１等により上面を形成する際に一体に形成されるものであってもよい。
【００４３】
太陽電池２が配置された以外の部分５は、黄色とすることで太陽電池２とのコントラスト及び警戒感を高めることができ好ましいが、Ｌ値が５０以上の色調であれば特に限定されるものではなく、白色、水色、桃色、黄緑色等の明るい色調のものを用いてよい。また、太陽電池２は中央部に集中させてもよく、線状に複数列配置してゼブラ模様としてもよく、更には縦横方向のみならず斜め方向に配置してもよい。また電波出力部６は、ＦＭ波を用いるにおいては小型のＦＭトランスミッターが、筐体３内に内蔵できると共に消費電力を小さくでき好ましいが、用いる電波に応じて適宜の電波を出力するものを用いることができる。
【００４４】
図５は、本発明に係わる歩行者誘導ブロック１０Ｂの他の実施形態を示す説明図である。アルミニウム鋳物からなる筐体３に、パッキンＰを介して上面板７が取り付けられ、その上面に方向毎の行き先を示したサインが描画されて視覚誘導手段７１となされている。
【００４５】
図６は、図５のＢ−Ｂ断面を示す断面図である。視覚誘導手段７１が描画されたポリカーボネート製の上面板７の下方には、半径５ｍ程度に予め定められた音声情報に係わる信号をＦＭ波により発信する電波出力部６が内蔵されている。
【００４６】
筐体３は、先述の歩行者誘導ブロック１０Ａに示したものと同様の材料を用いて形成することができる。また電波出力部６も同様である。上面板７は衝撃に対する耐久性の高いポリカーボネートを用いて形成するのが好ましいが、電波出力部６から発信される電波の透過を妨げるものでなければ特に限定されるものではなく、適宜の合成樹脂を用いて形成してよい。また先述の歩行者誘導ブロック１０Ａと同様に上面を透明板とし、その下方に視覚誘導手段７１を描画し、視覚情報手段７１の汚損や摩耗を防止してもよい。
【００４７】
図７は、本発明に係わる歩行者誘導システムの一例を示す説明図である。分岐路に埋設された歩行者誘導ブロック１０Ｂの上面に描画された視覚情報手段７１を視認することで歩行者は誘導されるが、更にイヤホン付きのＦＭラジオＲを保有する歩行者Ｈが５ｍ程度にまで接近すると、歩行者誘導ブロック１０Ｂの電波出力部から予め定められた音声情報に係わる信号がＦＭ波Ｗにより発信され、歩行者誘導ブロック１０Ｂが埋設された地点の情報がＦＭラジオＲから音声Ｓにより歩行者Ｈに伝達される。かかる視覚情報手段７１及び音声Ｓにより歩行者Ｈが誘導されるので、一体の歩行者誘導ブロック１０Ｂでバリアフリー化された歩行者誘導システムを提供することができると共に、都市部や公園に設置されても周囲の景観を損ねることがない。またＦＭラジオＲは、イヤホン付きのものに限定されず、小型のスピーカーを備えたものであってもよい。
【００４８】
図８は、本発明に係わる歩行者誘導システムの他の例を示す説明図である。分岐路に埋設された歩行者誘導ブロック１０Ｂの上面に描画された視覚情報手段７１を視認することで歩行者は誘導されるが、更に分岐路に向かって歩行してくる歩行者Ｈ１〜Ｈ４のそれぞれが保有するＦＭラジオＲには電子コンパスが備えられている。歩行者誘導ブロック１０の電波出力部６からは、行き先に応じた４種類の音声情報を含む信号がＦＭ波Ｗにより発信され、ＦＭラジオＲは、その４種類の信号の内、電子コンパスに応じた信号を選択して音声に変換し歩行者Ｈに伝達する。例えば電子コンパスが取り付けられた部分を進行方向に向けるといった方法で、予め歩行者Ｈ１〜Ｈ４がＦＭラジオＲを保持する方向を一定のものとなり得るようにしておき、歩行者Ｈ１〜Ｈ４が進行する方向を特定可能としておけば、電子コンパスにより検知される方向に応じて選択的に歩行者Ｈ１〜Ｈ４に音声Ｓ１〜Ｓ４により情報を提供することで、視覚障害者を含めた歩行者の誘導が到達地点の情報のみならず行き先の方向をも示すものとなり得る。
【００４９】
図９は、本発明に係わる歩行者誘導システムの、更に他の例を示す説明図である。まず歩行者が音声案内機能を有するサインによる拠点２０に到達すると、拠点２０により音声、視覚により誘導に係わる情報が伝達される。歩行者はその情報に応じて次の歩行者誘導ブロックによる拠点１０Ａ又は１０Ｂに向かう。拠点１０Ａ又は１０Ｂにおいて、歩行者には更に音声、視覚による情報が提供され、歩行者は目的地や、更なる拠点１０Ａ、１０Ｂ又は２０に向かう。サインや歩行者誘導ブロックを組み合わせてこの様な繰り返しを行うようにすることにより、歩行者の記憶の薄れによる目的地に到達するまでの迷い等を防止し、歩行者を確実に目的地へ誘導することが可能となる。
【実施例１】
【００５０】
図１０は、本発明に係わる歩行者誘導ブロックの、他の実施形態を示す平面図である。透明板１の下方に発光ダイオードを用いた発光部８Ａが設けられ、発光部８Ａが点滅することで歩行者誘導ブロック１０の存在や、警告点字ブロックが存在し危険が存在しうる場所であることを歩行者に喚起することができる。
【００５１】
図１１は、図１０のＢ−Ｂ断面を示す断面図である。太陽電池受け板５１の一部が切り欠かれて発光部８Ａから発せられる光が外部に放出されるようになされている。発光部８Ａの発光に係わる電力についても、太陽電池２及び蓄電池Ｂから供給されるものであれば、外部電源を導入する配線等を省くことができ好ましい。
【実施例２】
【００５２】
図１２は、本発明に係わる歩行者誘導ブロックの、更に他の実施形態を示す平面図である。透明板１の下方には矢印状の発光部８Ｂが設けられ、発光部８Ｂが非常時等に点滅することで周囲の電気が消灯し、完全な暗がりになった場合でも歩行者を避難経路に誘導することができる。
【００５３】
図１３は、図１２のＣ−Ｃ断面を示す断面図である。発光部８Ｂは、導光板８Ａ１と発光体８Ａ２とからなり、導光板８Ａ１の表面に矢印が描画され、発光体８Ａ２が点滅発光して光を導光板８Ａ１内に導入することで発光部８Ｂとなされる。本実施形態においても、発光体８Ａ１の発光に係わる電力が太陽電池２及び蓄電池Ｂより供給されるようになされるのが上述の理由と同様の理由により好ましい。
【図面の簡単な説明】
【００５４】
【図１】本発明に係わる歩行者誘導ブロックの、実施の一形態を示す斜視図である。
【図２】図１に示した歩行者誘導ブロックの平面図である。
【図３】図１に示した歩行者誘導ブロックの断面図である。
【図４】図１に示した歩行者誘導ブロックを用いた歩行者誘導システムを示す説明図である。
【図５】本発明に係わる歩行者誘導ブロックの、他の実施形態を示す斜視図である。
【図６】図５に示した歩行者誘導ブロックの断面図である。
【図７】図５に示した歩行者誘導ブロックを用いた歩行者誘導システムを示す説明図である。
【図８】本発明に係わる歩行者誘導システムの、他の実施形態を示す説明図である。
【図９】本発明に係わる歩行者誘導システムの、更に他の実施形態を示す説明図である。
【図１０】本発明に係わる歩行者誘導ブロックの、他の実施形態を示す平面図である。
【図１１】図１０に示した歩行者誘導ブロックの断面図である。
【図１２】本発明に係わる歩行者誘導ブロックの、更に他の実施形態を示す平面図である。
【図１３】図１２に示した歩行者誘導ブロックの断面図である。
【符号の説明】
【００５５】
１    透明板
２    太陽電池
３    筐体
４    誘導用凸部
５    太陽電池以外の部分
６    電波出力部
７１  視覚誘導手段
８Ａ、８Ｂ  発光部
１０Ａ、１０Ｂ  歩行者誘導ブロック（拠点）
２０  拠点（音声案内機能を有するサイン）
Ｈ    歩行者
Ｒ    ＦＭラジオ
Ｗ    ＦＭ波
Ｋ    警告点字ブロック
Ｙ    誘導点字ブロック
【図１】
2005054452.tif 000002
【図２】
2005054452.tif 000003
【図３】
2005054452.tif 000004
【図４】
2005054452.tif 000005
【図５】
2005054452.tif 000006
【図６】
2005054452.tif 000007
【図７】
2005054452.tif 000008
【図８】
2005054452.tif 000009
【図９】
2005054452.tif 000010
【図１０】
2005054452.tif 000011
【図１１】
2005054452.tif 000012
【図１２】
2005054452.tif 000013
【図１３】
2005054452.tif 000014